(57)【要約】【課題】本発明は壁掛型扇風機に関するもので、落下防止手段への衝撃を抑制することができるものである。【解決手段】そしてこの目的を達成するために本発明は、羽根２と電動機を有する本体１と、この本体１の下部に有する基台３とこの基台３の底面に設けた底板部４と、この底板部４に挿入可能で壁に固定された壁掛金具６とを備え基台３の背面部の左右どちらか一方寄りに設けた仮止め部１１と、この仮止め部１１を介して壁５に固定される仮固定部材１２とから形成された落下防止手段を備えたものである。【選択図】図１
2010090826.tif 000002
【特許請求の範囲】
【請求項１】
羽根と電動機を有する本体と、この本体の下部に有する基台と、この基台の底面に設けた底板部と、この底板部に挿入可能で壁に固定された壁掛金具とを備え前記基台の背面部の左右どちらか一方寄りに設けた仮止め部と、この仮止め部には孔を備え、この孔を介して壁に固定される仮固定部材とから形成された落下防止手段を備えた壁掛型扇風機。
【請求項２】
仮固定部材は段付きのネジであり、前記仮止め部は前記ネジの段付き部分の径より大きい孔を有する請求項１記載の壁掛型扇風機。
【請求項３】
基台の前記底板部に前記壁掛金具を挿入に前記本体を壁に固定した場合に前記基台の前記仮止め部は壁と所定の距離を有し、その距離は前記ネジの段付き部分の寸法より短い請求項１〜２のいずれかに記載の壁掛型扇風機。
【請求項４】
基台に設けた仮止め部は、前記基台と一体に形成した請求項１〜３のいずれかに記載の壁掛型扇風機。
【請求項５】
仮止め部の材質は樹脂である請求項１〜４のいずれかに記載の壁掛型扇風機。
【請求項６】
仮止め部の幅寸法は前記ネジの頭部分の径より大きい請求項２〜５のいずれかに記載の壁掛型扇風機。
【請求項７】
仮止め部の高さ寸法は前記基台の厚み寸法より小さい請求項２〜６のいずれかに記載の壁掛型扇風機。
【請求項８】
基台の前面部には引き紐スイッチを備え、この引き紐スイッチは前記基台に設けた前記仮止め部とは逆側である左右どちらか少なくとも一方寄りに設けられた請求項１〜７のいずれかに記載の壁掛型扇風機。
【請求項９】
底板部は第２の仮止め部を設け、この第２の仮止め部には第２の孔を備えた請求項１〜８のいずれかに記載の壁掛型扇風機。
【発明の詳細な説明】
【技術分野】
【０００１】
本発明は、壁面に取り付けられた壁掛金具に基台を取り付けて壁面に扇風機を掛ける壁掛型扇風機に関する。
【背景技術】
【０００２】
従来のこの種の壁掛型扇風機の構成は以下のようになっていた。
【０００３】
すなわち、羽根と電動機を有する本体と、この本体の下部に有する基台とこの基台の底面に設けた底板部と、この底板部に挿入可能で壁に固定された壁掛金具とを備え、この壁掛金具に仮止め部を設け、この仮止め部と壁とを落下防止ワイヤーにより固定された構成となっていた。
【０００４】
例えば、これに類似する先行文献は下記特許文献１に記載されている。
【特許文献１】特開２００８−１２８０２６号公報
【発明の開示】
【発明が解決しようとする課題】
【０００５】
上記従来例における課題は、落下防止手段への衝撃が大きいということであった。
【０００６】
すなわち、従来の物においては、本体を壁に固定する本体固定手段とは別に、落下防止手段として、本体は落下防止ワイヤーを介して壁と固定していた。具体的には、落下防止ワイヤーの両端をねじにより本体および壁と締結していた。つまり、本体固定手段が万一はずれ、本体が落下する場合には、落下防止手段によって本体の落下を防止するものである。
【０００７】
このように本体は落下防止ワイヤーを介して壁と固定しているが、落下防止ワイヤーにはたるみ部分がある。この落下防止ワイヤーのたるみ部分の長さだけ本体が落下することにより、本体が本体固定手段が外れ落下したことを目視で確認できるようにするために必要なものである。
【０００８】
つまり、そのたるみ部分の長さ分だけ本体が落下するので、その落下分の衝撃が落下防止ワイヤーの両端の本体および壁とを固定しているねじにかかることになる。
【０００９】
本体の重量が大きい場合にはこの衝撃が更に大きくなり、この衝撃によりねじがはずれ、本体の落下に繋がる可能性があった。
【００１０】
そこで本発明は、落下防止手段への衝撃を抑制することを目的とするものである。
【課題を解決するための手段】
【００１１】
そしてこの目的を達成するために本発明は、羽根と電動機を有する本体と、この本体の下部に有する基台とこの基台の底面に設けた底板部と、この底板部に挿入可能で壁に固定された壁掛金具とを備え前記基台の背面部の左右どちらか一方寄りに設けた仮止め部と、この仮止め部を介して壁に固定される仮固定部材とから形成された落下防止手段を備え、これにより、初期の目的を達成するものである。
【発明の効果】
【００１２】
以上のように本発明は、羽根と電動機を有する本体と、この本体の下部に有する基台とこの基台の底面に設けた底板部と、この底板部に挿入可能で壁に固定された壁掛金具とを備え前記基台の背面部の左右どちらか一方寄りに設けた仮止め部と、この仮止め部を介して壁に固定される仮固定部材とから形成された落下防止手段を備えたものであり、落下防止手段への衝撃を抑制することができるものである。
【００１３】
すなわち、本体の基台の底面に底板部を設け、この底板部に挿入可能で壁に固定された壁掛金具によって本体を壁に固定する本体固定手段と、本体の基台に仮止め部を設け、この仮止め部を介して壁に仮固定部材で仮固定する落下防止手段とを備えている。
【００１４】
ここで、本体固定手段がはずれ、本体が落下する場合には落下防止手段である本体の基台に設けた仮止め部が壁に固定された仮固定部材に引っかかることによって、本体の落下を防止するものである。つまり、本体が落下し、壁に固定された仮固定部材に本体の基台に設けた仮止め部が引っかかるので、落下する距離は仮固定部材と仮止め部との隙間分だけとなり、落下距離はわずかな距離となる。
【００１５】
これらの結果により、落下防止手段への衝撃を抑制することができるものである。
【発明を実施するための最良の形態】
【００１６】
以下、本実施形態を添付図面を用いて説明する。
【００１７】
（実施の形態１）
図１から図４に示すように、本実施形態の壁掛型扇風機は、本体１の上部には羽根２と電動機（図示せず）とを設け、下部には箱形状の基台３を設けている。
【００１８】
この基台３の底面に底板部４を設け、壁５にはこの底板部４に挿入可能で壁５に固定された壁掛金具６とを備えている。
【００１９】
底板部４は中央部に略長方形の切り欠き部７を有し、その切り欠き部７の上部は突出した底板突出面部８を設けている。壁掛金具６は下部には略四角形状の金属板で、中央部に複数の固定用の孔を備えた壁掛金具固定部９と、上部には略四角形状の金属板で、壁掛金具固定部上端から傾斜して延びた壁掛金具引掛部１０とから形成されている。つまり、壁掛金具固定部９を壁面に当て、中央部の複数の固定用の孔を使いネジによって固定すると、壁掛金具引掛部１０が壁面から離れるように傾斜して、壁掛金具６が固定されることとなる。
【００２０】
本体１を壁５に取り付ける場合、壁掛金具６を壁５に固定し、この壁掛金具６を基台３の底面に設けた底板部４に挿入することにより本体１が壁５に固定される。すなわち、壁掛金具６の壁掛金具固定部９を壁５に当て、中央部の複数の固定用の孔を使いネジで固定する。次に、本体１の基台３の底面に設けた底板部４の切り欠き部７に、壁掛金具６の壁掛金具引掛部１０を挿入する。このように、壁掛金具６の壁掛金具引掛部１０によって、底板部４の底板突出面部８が引掛り、これにより、本体１が壁５に固定されることとなる。
【００２１】
本実施形態における特徴は、箱形状の基台３の背面部の左右どちらか一方寄りに仮止め部１１を設け、更に、この仮止め部１１を介して壁５に固定する仮固定部材１２を備えたことである。
【００２２】
すなわち、本体１の基台３底面に底板部４を設け、この底板部４に挿入可能で壁５に固定された壁掛金具６により本体１を壁５に固定する本体固定手段と、更に、本体１の基台３に仮止め部１１を設け、この仮止め部１１を介して壁に仮固定部材１２を固定する落下防止手段とを備えている。
【００２３】
落下防止手段は仮固定部材１２と、基台３に設けた仮止め部１１とから構成されている。まず、仮固定部材１２は、段付き部分１３を備えた段付きネジ１５であり、この段付き部分はネジ部とネジ頭との間に位置する。次に、仮止め部１１は、基台３の背面部より背面方向に突出した略四角形の平板形状であり、仮止め部の中央部には孔１４を備えている。すなわち、仮止め部１１の中央部の孔１４を介して、仮固定部材１２である段付きネジ１５を壁５にネジ止めするものである。
【００２４】
そこで、本体固定手段がはずれ本体１が落下する場合には、落下防止手段である本体１の基台３に設けた仮止め部１１が壁５に固定された仮固定部材１２に引っかかることによって、本体１の落下を防止するものである。つまり、本体１が落下し、壁５に固定された仮固定部材１２に本体１の基台３に設けた仮止め部１１が引っかかるので、落下する距離は仮固定部材１２と仮止め部１１との隙間分、すなわち、仮止め部１１の孔１４と、仮固定部材１２である段付きネジ１５の段付き部分１３との隙間分だけとなり、落下距離はわずかな距離となり、落下防止手段への衝撃を抑制することができる。
【００２５】
また、本体１の基台３背面部に仮止め部１１を設けたので、本体固定手段である基台３の底面に設けた底板部４または、壁５に固定した壁掛金具６のどちらか一方がはずれた場合にも、落下防止手段により本体１の落下を防止することができる。
【００２６】
また、本体１の基台３背面部の左右どちらか一方寄りに仮止め部１１を設けたので、本体固定手段がはずれた場合に、本体１が落下防止手段である壁に固定された仮固定部材１２に本体１の基台３に設けた仮止め部にぶら下がる形となり、本体１が斜めに傾いてぶら下がる状態となるので、本体固定手段がはずれたことを目視で確認することができる。
【００２７】
また、仮止め部１１は、基台３の背面部より背面方向に突出した四角形の平板形状であり、その中央部には孔１４を備え、仮固定部材１２は段付きネジ１５である。その仮止め部１１の孔１４は、ネジの段付き部分１３の径より大きく、段付きネジ１５のネジ頭部分１６の直径より小さいものである。
【００２８】
これにより、仮止め部１１の孔１４を介し、段付きネジ１５を壁５に固定する場合に、段付きネジ１５で段付き部分１３と仮止め部１１の孔１４との間に隙間が出来るので、段付きネジ１５を壁５に固定した場合にも、仮止め部１１が段付きネジ１５と接触せず、仮止め部１１に垂直方向の応力がかかることはない。すなわち、本体１が落下した場合のみ仮止め部１１に応力がかかるので、本体１の通常設置状では仮止め部１１に応力による負荷を無くすことが出来る。
【００２９】
また、基台３の底板部４に壁掛金具６を挿入に本体１を壁５に固定した場合に、基台３の仮止め部１１は壁５と所定の距離を有し、その距離は、段付きネジ１５の段付き部分１３の寸法より短いものである。
【００３０】
これにより、仮止め部１１の孔１４を介し、段付きネジ１５を壁５に固定する場合に、段付きネジ１５でネジ頭部分１６と仮止め部１１の孔１４との間に隙間が出来るので、段付きネジ１５を壁に固定した場合にも、仮止め部１１が段付きネジ１５と接触せず、仮止め部１１に水平方向の応力がかかることはない。すなわち、本体１が落下した場合のみ仮止め部１１に応力がかかるので、本体１の通常設置状では仮止め部１１に応力による負荷を無くすことが出来る。
【００３１】
また、基台３に設けた仮止め部１１は、基台３と一体に形成されたものであり、これにより、基台３と仮止め部１１とは、別部品を連結し固定したものでないので、基台３と仮止め部１１との連結部１７の強度を強くすることが出来る。
【００３２】
また、仮止め部１１の材質は樹脂であり、これにより、基台３の材質も樹脂にすることができるので、基台３の形が複雑な曲面であっても、比較的容易に成型することができ、基台３をデザイン性の優れた形にすることが出来る。なお、樹脂の一例はポリプロピレンである。
【００３３】
また、仮止め部１１の幅寸法はネジの頭部分１６の径より大きいので、基台３と仮止め部１１との連結部１７の断面積が広くなり、強度を高くすることが出来る。
【００３４】
また、仮止め部１１の高さ寸法は基台３の厚み寸法より小さいので、これにより、本体１の通常設置状で、人が壁掛型扇風機を見上げた場合には、仮止め部１１は基台３の厚みに隠れ見えにくくなり、インテリア性が向上すると共に、椅子などに乗って高い位置から見れば、仮止め部１１を介しに段付きネジ１５が壁５に固定されているかを容易に確認することも出来る。
【００３５】
また、基台３の前面部には引き紐スイッチ１８を備え、この引き紐スイッチ１８は基台３に設けた仮止め部１１とは逆側である左右どちらか少なくとも一方に設けられている。
【００３６】
なお、引き紐スイッチ１８は基台３の前面部の左右どちらともに設けられていても良い。
【００３７】
これにより、本体固定手段がはずれ、本体１が落下防止手段である壁５に固定された仮固定部材に本体１の基台３に設けた仮止め部１１にぶら下がっているが、本体１が壁５に引掛り傾かない場合にも、引き紐スイッチ１８を引くことにより本体が傾くので、本体固定手段がはずれたことを目視で確認することができる。
【００３８】
（実施の形態２）
実施の形態２は図５および図６に示すように、実施の形態１に対し、底板部４ａにも第２の孔２０を備えた第２の仮止め部１９を設けた点が相違する。すなわち、本体１の下部に有する基台３に底板部４ａを固定すると、基台３の仮止め部１１と底板部４ａの第２の仮止め部１９とは重なり、更に、基台３の仮止め部１１の孔１４と底板部４ａの第２の仮止め部１９の第２の孔２０とも重なり、この２つの重なった孔を介して壁５に仮固定部材１２を固定することにより、２重の落下防止手段となるものである。
【００３９】
具体的には、第２の仮止め部１９は、底板部４ａの上部に突出した略四角形の平板形状であり、第２の仮止め部１９の中央部には第２の孔２０を備え、つまり、基台３の仮止め部１１および孔１４と同形状である。この第２の仮止め部１９および第２の孔２０は、底板部４ａを本体１の基台３に固定すると基台３の仮止め部１１および孔１４と重なり、この重なった孔に仮固定部材１２である段付きネジ１５を壁５にネジ止めするものである。すなわち、基台３の仮止め部１１と底板部４ａの第２の仮止め部１９と段付きネジ１５とにより、２重の落下防止手段となるものである。
【００４０】
これにより、本体固定手段がはずれ、本体１が２重の落下防止手段である壁５に固定された仮固定部材１２である段付きネジ１５に本体１の基台３に設けた仮止め部１１と、底板部４ａの第２の仮止め部１９とにより本体１がぶら下がることとなるので、もし、どちらか一方の仮止め部が壊れていても本体１が落下することがない。
【産業上の利用可能性】
【００４１】
以上のように本発明は、羽根と電動機を有する本体と、この本体の下部に有する基台とこの基台の底面に設けた底板部と、この底板部に挿入可能で壁に固定された壁掛金具とを備え前記基台の背面部の左右どちらか一方寄りに設けた仮止め部と、この仮止め部を介して壁に固定される仮固定部材とから形成された落下防止手段を備えたものであり、落下防止手段への衝撃を抑制することができるものである。
【００４２】
すなわち、本体の基台の底面に底板部を設け、この底板部に挿入可能で壁に固定された壁掛金具によって本体を壁に固定する本体固定手段と、本体の基台に仮止め部を設け、この仮止め部を介して壁に仮固定部材で仮固定する落下防止手段とを備えている。
【００４３】
ここで、本体固定手段がはずれ、本体が落下する場合には落下防止手段である本体の基台に設けた仮止め部が壁に固定された仮固定部材に引っかかることによって、本体の落下を防止するものである。つまり、本体が落下し、壁に固定された仮固定部材に本体の基台に設けた仮止め部が引っかかるので、落下する距離は仮固定部材と仮止め部との隙間分だけとなり、落下距離はわずかな距離となる。これらの結果により、落下防止手段への衝撃を抑制することができるものである。
【００４４】
従って、家庭用や事務所用などの、壁掛型扇風機として活用が期待されるものである。
【図面の簡単な説明】
【００４５】
【図１】本発明の実施の形態１の壁掛型扇風機の概略側面図
【図２】本発明の実施の形態１の壁掛型扇風機の概略底面図
【図３】本発明の実施の形態１の壁掛型扇風機の壁掛金具を示す図
【図４】本発明の実施の形態１の壁掛型扇風機の段付きネジを示す図
【図５】本発明の実施の形態２の壁掛型扇風機の概略底面図
【図６】本発明の実施の形態２の壁掛型扇風機の概略側面図
【符号の説明】
【００４６】
１    本体
２    羽根
３    基台
４    底板部
４ａ  底板部
５    壁
６    壁掛金具
７    切り欠き部
８    底板突出面部
９    壁掛金具固定部
１０  壁掛金具引掛部
１１  仮止め部
１２  仮固定部材
１３  段付き部分
１４  孔
１５  段付きネジ
１６  ネジ頭部分
１７  連結部
１８  引き紐スイッチ
１９  第２の仮止め部
２０  第２の孔
【図１】
2010090826.tif 000003
【図２】
2010090826.tif 000004
【図３】
2010090826.tif 000005
【図４】
2010090826.tif 000006
【図５】
2010090826.tif 000007
【図６】
2010090826.tif 000008